(57)【要約】【課題】サウナボックス使用における安全性及び便利性を高めるべく折畳式サウナボックスの構造を提供する。【解決手段】基板部１０と外カバー部２０と制御装置３０とより構成し、該基板１０部には背面板１２を設け、該外カバー部２０は両側に支え板２２を設け且つ該基板部１０と連結することでサウナ空間を形成し、該支え板２２のサウナ空間側に貼設した電熱シートと該支え板２２との間には更に断熱シートを設け、該電熱シートのサウナ空間側には更に保護シートを設け、また該制御装置３０は温度設定回路と保護回路を含み、該電熱シートの温度上昇を制御する装置とし、該背面板１２の底部に底板１４を可動な状態で設置し、また該背面板１２の前側にはシート部１６を枢接し、該底板１４上に可動な状態で設置された支柱１７によって該シート部１６を支える。【選択図】        図２
2005152460.tif 000002
【特許請求の範囲】
【請求項１】
基板部と、外カバー部と、電子回路により構成される制御装置とを含む折畳式サウナボックスの構造において、
背面板を具有する基板部と、
該基板部と連結され、且つ両側がそれぞれ支え板によって支えられ、該基板部と共に人体が入るサウナ空間を形成し、且つ該支え板のサウナ空間側には更に電熱シートが貼設され、更に該電熱シートと該支え板との間には断熱シートが挟設されて該電熱シートと該支え板とを隔離し、且つ該電熱シートのサウナ空間に面した側には更に網状を呈した布製である保護シートが貼設されている外カバー部と、
温度設定回路及び保護回路を含み、該電熱シートの温度を上昇させることにより熱を提供する制御装置と、
を含み、該背面板の底部には全体を地面に置いて使用する際の安定性を高めて使用者に快適さを提供するべく、底板が折り畳み可能な状態で定位されており、更に該背面板の前側にはシート部が枢接され、該シート部の後端付近には軸棒が設けられ、該軸棒両端がそれぞれ該背面板と枢接されることで該シート部を該背面板の前側にて折りたたまれるべく回転し且つ定位されるようにし、該底板の上表面には更に二本の支柱を相互に相対した状態で設け、該支柱の最上端によって該シート部を支持し、使用の便利性が高められていることを特徴とする折畳式サウナボックスの構造。
【請求項２】
該シート部底部前端の両側付近にはそれぞれ嵌合溝が設けられており、該支柱の最上部を該嵌合溝に嵌合することにより、該シート部を支えることを特徴とする請求項１記載の折畳式サウナボックスの構造。
【請求項３】
該背面板外周には該底板と隣接するフレームが設けられており、
該フレーム底部は数個の蝶つがいを設けることにより該底板の後端と枢接されて該底板が該背面板前側に向かって折りたたまれるようにし、
該外カバー部後端からは上部接続片が延伸して該フレームの上部部分と連結され、更に該外カバー部両側後端からはそれぞれ側面接続片が延伸して該フレームの両側部分と連結されて該外カバーと該基板部とを一体にし、
該カバー部前端底部には更に内側に延伸する底部片を具有することで、使用の際に該底部片を該底板によって圧制し、該外カバー部を固定して安定性を提供することを特徴とする請求項１記載の折畳式サウナボックスの構造。
【発明の詳細な説明】
【技術分野】
【０００１】
本発明は折畳式サウナボックスの構造に係り、特に収納時に便利且つ底板が設けられていることで安定性が高く、また背面板の前側にシート部が設けられて使用者を支える構造を具有する折畳式サウナボックスの構造に関わる。
【特許文献１】台湾特許  第414080号公報
【特許文献２】日本特許  第3073913号公報
【背景技術】
【０００２】
公知のサウナボックスとしては、図１に示すように、主に支え板１と外カバー２及び制御装置３とより構成されるものがあるが、これには該支え板１中央部位に背面板１０２が設けられており、該背面板１０２の両側にはそれぞれ仲介板１０４が可動な状態で接続されており、該仲介板１０４外側には外側板１０６が可動な状態で接続されている。該外カバー２は、該支え板１外周を被覆する軟性のカバーであり、該支え板１によって支えられると同時に内部に人体が出入りできるサウナ空間を形成している。該支え板１内部には電熱シート（図中なし）が設けられており、該制御装置３によって該電熱シートの提供する熱を制御し、かくして電熱シートによって提供される熱で人体に対してサウナ効果を提供するものがある。
またこういったサウナボックスを使用する際には、該電熱シートの発熱により、空間内の温度を上昇させ、空気を媒介として熱を伝え、人体に対してドライタイプのサウナ空間を提供し、人体の血液循環を高める、或いは発汗を促すといった目的を達成しており、また例えば一般の家屋内において使用しても家具や電気製品に対して湿気による悪影響を及ぼすことがなく、蒸気タイプではなく電熱式であることからドライの状態で加熱され、水を加えたりするスチームを使用しないことから、カビの温床となることもなく、清潔で簡単に使用できるものとなっている。また使用しない場合には、該支え板１と該外カバー２を共に折りたたみ、携帯や収納にも便利となっている。
【発明の開示】
【発明が解決しようとする課題】
【０００３】
上述のような公知のサウナボックスは使用が非常に便利で実用性も高いが、しかしながら、以下のような欠点も未解決となっている。
それは使用者が内部に入って使用する際、そのサイズに適した椅子や人体を支える道具を用意しなければならず、多くの業者は上述のようなサウナボックスを販売すると同時に専用の椅子を贈呈したりするが、こういった椅子はサウナボックスと共に折りたたんで収納できないために別の場所に置かなければならず、サウナを使用するときに及んで見つからないといった事態も生じやすい。更に、公知のサウナボックスでは底板の設計にも解決すべき問題が残されており、例えばサウナボックス使用時における安定性が欠けるため、使用者が背部を背面板に持たれかけると倒れやすいといった欠点がある。そのため、使用の際には背面板を壁にくっつけ、上半身を前傾させたり無理な姿勢をとらなければ安全が確保できなくなっており、また同時に使用場所の制限も受けていることになる。
そこで上述の欠点に鑑み、サウナボックス使用における安全性及び便利性を高めるべく本発明の折畳式サウナボックスの構造を提供する。
【課題を解決するための手段】
【０００４】
主に基板部と外カバー部と制御装置とより構成し、該基板部には背面板を設け、該外カバー部は両側に支え板を設け且つ該基板部と連結することでサウナ空間を形成し、該支え板のサウナ空間側に貼設した電熱シートと該支え板との間には更に断熱シートを設け、該電熱シートのサウナ空間側には更に保護シートを設け、また該制御装置は温度設定回路と保護回路を含み、該制御装置を導線によって該外カバー部と相互に連結し、該電熱シートの温度上昇を制御する装置とし、該背面板の底部に底板を可動な状態で設置し、また該背面板の前側にはシート部を枢接し、該底板上に可動な状態で設置された支柱によって該シート部を支える。
【発明の効果】
【０００５】
本発明によると、サウナボックス使用時の安定感が優れるため安全性が高められたと同時に、折りたたまれた際に体積が非常に小さくなることから更に実用的となった。
【発明を実施するための最良の形態】
【０００６】
図２に示すように、本発明には主に基板部１０と外カバー部２０及び制御装置３０とが含まれる。該基板部１０には背面板１２と底板１４とを含み、且つ該背面板１２と底板１４は木材によるものとする。該背面板１２外周にはフレーム１２２が隣接して設けられており、且つ該フレーム１２２底部には数個の蝶つがい１３により、該底板１４が枢接されており、かくして該底板１４が該背面板１２の前側に倒されて閉じ合わさるようになっている。また該背面板１２の前側には略四角形を呈したシート部１６が設けられており、該シート部１６は主に複数の根木により組み立てられたものとする。また該シート部１６は後方付近に軸棒１６２が設けられており、且つ該軸棒１６２の両端は該フレーム１２２の二つの側面にそれぞれ枢接され、該シート部１６が該背面板１２の前側に倒されて閉じ合わされるようになっている。また該シート部１６底部前側の両端付近にそれぞれ設けられた嵌合溝１６４は、該底板１４の上側に設けられた二本の支柱１７と対応しており、該支柱１７底部は角材による枢接部１５が該底板１４と枢接されており、且つ該支柱１７の上端は該嵌合溝１６４に嵌合されるものとする。こうして該シート部１６を支える構造が完成され、使用者が該シート部１６に座って使用するのに便利になっている。
【０００７】
該外カバー部２０とは該基板部１０に被せられる軟性のカバーであり、カバーの上部後方からは上部接続片２１が延伸し、該フレーム１２２のうち、上部の辺の底部にて接続される個所を提供しており、且つ該カバーの両側にはそれぞれ側面接続片２３が延伸しており、該側面接続片２３は外側に向かって開かれることで、該フレームのうち、左右両側の辺の前側と接続される個所を提供し、こうして該外カバー部２０と該基板部１０とが一体になる。また該外カバー部２０前側底部には底部片２４が設けられており、該底部片２４を該底板１４の下に敷くことで該外カバー部２０をしっかりと固定する役割を提供する。更に、該外カバー部２０の両側内部にはそれぞれ支え板２２が貼設され、該外カバー部２０を両側より支えて強化すると共に、該基板１０を該外カバー部２０内部にて人体が入るのに適した空間を提供する。該支え板２２は適当な柔軟度を具有する連結部２２２が設けられている。また該連結部２２２には第一板２２４と第二板２２６とに区分され、該第一板及び第二板２２４，２２６が該連結部２２２を境に折り曲げられる構造を呈しており、該第一板２２４の後端は該背面板１２と隣接し、該第一板２２４の前端は該連結部２２２によって該第二板２２６と連結されていることにより、該支え板２２は折畳式となっている。更に該外カバー部２０の片側後端付近にはホルダー２５が外接されており、且つ該ホルダー２５の末端にはフック（凸）２６が設けられており、且つ該外カバー部２０のもう片側の該ホルダー２５に相対する位置にはフック（凹）２７が設けられていることより、該フック（凸）２６と該フック（凹）２７とを嵌合させることで、本発明を折りたたんで収納する際に、該外カバー部２０全体をまとめることができるようにする。
【０００８】
図３に示すように、該支え板２２にはサウナを形成する空間の内側に電熱シート２８が貼設されており、また該制御装置３０は電子回路によって構成されるものであり、またこれには温度設定回路及び保護回路が含まれ、該制御装置３０は導線３２によって該外カバー部２０と相互に連結され、該電熱シート２８の温度を上昇させることによって熱を提供する。更に該電熱シート２８は該支え板２２との間に断熱材質による断熱シート２８２が設けられ、該電熱シート２８と該支え板２２とを隔離する。更に該電熱シート２８にはサウナボックス内部空間に面して網状の布製である保護シート２８４が設けられ、こうすることにより人体が直接該電熱シート２８に触れて火傷をすることを防止する。
【０００９】
図４に示すように、該シート部１６の設置により、使用者が本発明のサウナボックス内に入ってサウナを使用する際に、直接該シート部１６に座り、また該シート部１６は該支柱１７によって支えられていることから、別の椅子を設ける必要がなくなり便利であり、且つ該底板１４の設置により安定性も高められ、使用者が該シート部１６に座ると、背部を該背面板１２に凭れかけると同時に人体の重量によって該シート部１６と該支柱１７及び該底板１４を圧制し、該底板１４が定位されて安定感が増し、使用者の上半身により該背面板１２に横向きの作用力が提供されても倒れる危険性がなく、使用者が不自然な前傾姿勢を取ったり、該背面板１２を壁につけなくとも安全に使用できる構造を提供する。
【００１０】
また図２及び図５，６に示すように、本発明品を折りたたんで収納する際には、該シート部１６を該軸棒１６２によって回転させ、該シート部１６を該背面板１２の前側に倒し、該各支柱１７を内側に倒し（図５参照）、該底板１４を該蝶つがい１３によって該背面板１２の前側にぴったりと合わせ、最後に該ホルダー２５によって該外カバー部２０の外側をくくり、該フック（凸）２６と該フック（凹）２７とを嵌合して定位し、こうすることで本考案の折りたたみが完成し（図６参照）、折りたたみ後の体積が小さいことから、例えば収納用家具などの小さな隙間等に容易に収納することができるようになる。
【図面の簡単な説明】
【００１１】
【図１】公知における携帯型サウナボックスの立体分解図である。
【図２】本発明における実施例の立体分解図である。
【図３】本発明における実施例の支え板の縦向き断面図である。
【図４】本発明における実施例の使用状態を示す図である。
【図５】本発明における実施例が折りたたみ過程にある状態を示す図である。
【図６】本発明における実施例が折りたたまれた状態を示す図である。
【符号の説明】
【００１２】
１  支え板
１０２  背面板
１０４  仲介板
１０６  外側板
２  外カバー
３  制御装置
１０  基板部
１２  背面板
１２２  フレーム
１３  蝶つがい
１４  底板
１５  枢接部
１６  シート部
１６２  軸棒
１６４  嵌合溝
１７  支柱
２０  外カバー部
２１  上部接続片
２２  支え板
２２２  連結部
２２４  第一板
２２６  第二板
２３  側面接続片
２４  底部片
２５  ホルダー
２６  フック（凸）
２７  フック（凹）
２８  電熱シート
２８２  断熱シート
２８４  保護シート
３０  制御装置
３２  導線
【図１】
2005152460.tif 000003
【図２】
2005152460.tif 000004
【図３】
2005152460.tif 000005
【図４】
2005152460.tif 000006
【図５】
2005152460.tif 000007
【図６】
2005152460.tif 000008